(57)【要約】【課題】  画像形成装置の記憶装置への負担を軽減するとともに、画像形成装置による簡易かつ迅速なジョブ処理の実行を可能とする。【解決手段】  ジョブデータを保持する一又は二以上の情報処理装置とネットワークを介して接続された画像形成装置であって、ジョブデータを特定するジョブ情報を情報処理装置から取得するジョブ情報取得手段と、取得されたジョブ情報を表示するジョブ情報表示手段とを備えた構成としてある。【選択図】        図１
2005319646.tif 000002
【特許請求の範囲】
【請求項１】
ジョブデータを保持する一又は二以上の情報処理装置とネットワークを介して接続された画像形成装置であって、
前記ジョブデータを特定するジョブ情報を前記情報処理装置から取得するジョブ情報取得手段と、
取得された前記ジョブ情報を表示するジョブ情報表示手段とを備えた
ことを特徴とする画像形成装置。
【請求項２】
請求項１に記載の画像形成装置において、
前記ジョブ情報表示手段は、前記ジョブ情報を選択指定可能に一覧表示する
ことを特徴とする画像形成装置。
【請求項３】
請求項１又は２に記載の画像形成装置において、
表示された前記ジョブ情報の中から指定されたジョブ情報を実行ジョブとして登録する実行ジョブ登録手段と、
登録されたジョブに対応するジョブデータの送信を要求するデータ送信コマンドを前記情報処理装置に送信するコマンド送信手段と、
前記データ送信コマンドに応じて送信されてきた前記ジョブデータを受信するデータ受信手段と、
受信した前記ジョブデータに基づいて所定の処理を実行するジョブ実行手段とを備えた
ことを特徴とする画像形成装置。
【請求項４】
請求項１〜３のいずれか一項に記載の画像形成装置と接続された情報処理装置であって、
前記ジョブデータを保持するジョブデータ格納手段と、
前記画像形成装置からの要求に応じて前記ジョブデータ格納手段により保持されている一又は二以上のジョブデータを特定するジョブ情報を前記画像形成装置に送信するジョブ送信手段とを備えた
ことを特徴とする情報処理装置。
【請求項５】
請求項４に記載の情報処理装置において、
前記ジョブ送信手段は、前記画像形成装置からの前記データ送信コマンドに応じて前記ジョブデータ格納手段により保持されているジョブデータの中から対応するジョブデータを抽出し、前記画像形成装置に送信する
ことを特徴とする情報処理装置。
【請求項６】
ジョブデータを保持する一又は二以上の情報処理装置とネットワークを介して接続された画像形成装置の制御プログラムであって、
前記情報処理装置から前記ジョブ情報を取得するジョブ情報取得ステップと、
前記ジョブ情報取得ステップで取得されたジョブ情報を表示させるジョブ情報表示ステップとを
画像形成装置に実行させることを特徴とする画像形成装置の制御プログラム。
【請求項７】
ジョブデータに基づく処理を実行する画像形成装置とネットワークを介して接続された情報処理装置の制御プログラムであって、
入力設定されたジョブデータを保持するジョブデータ格納ステップと、
前記画像形成装置からの要求に応じて前記ジョブデータ格納ステップで保持されたジョブデータの中から対応するジョブ情報を抽出し、前記画像形成装置に送信するジョブ情報送信ステップとを
情報処理装置に実行させることを特徴とする情報処理装置の制御プログラム。
【発明の詳細な説明】
【技術分野】
【０００１】
本発明は、画像形成装置、情報処理装置、画像形成装置の制御プログラム及び情報処理装置の制御プログラムに関し、より詳しくは、画像形成装置と情報処理装置とをネットワーク接続して構成される画像形成システムにおいて、設定されたジョブデータを情報処理装置に保持させておき、その保持されているジョブデータを必要に応じて画像形成装置により読み出し、データ閲覧・印刷処理することのできる画像形成装置、情報処理装置、画像形成装置の制御プログラム及び情報処理装置の制御プログラムに関する。
【背景技術】
【０００２】
従来、ホストコンピュータ（情報処理装置）から送信されるジョブデータに基づいて印刷処理を実行するファクシミリ，プリンタ，コピー等の機能を備えた複合装置（マルチファンクションペリフェラル）などの画像形成装置では、ジョブデータを画像形成装置内部の記憶装置に保管し、そのジョブデータの情報リスト（ジョブデータの名称等のリスト）を画像形成装置本体の表示パネル、或いはネットワークを介して接続されたホストコンピュータの表示装置により閲覧することができた。
したがって、利用者は、閲覧している情報リストから印刷したいジョブデータのデータ名称を画像形成装置本体の操作パネル、或いはホストコンピュータの入力装置から選択入力することによって、ジョブデータに基づく印刷処理を実行させていた。
このような従来の方式を用いた画像形成装置によれば、頻繁に実行する可能性のあるジョブがある場合、そのジョブを実行させる度にホストコンピュータから画像形成装置へジョブデータを送信しなくても、画像形成装置に登録されたジョブデータを用いていつでも迅速に印刷処理を実行することができた。
【０００３】
しかしながら、ジョブデータは印刷内容によっては、そのデータ量が非常に大きくなる場合もあり、このうようなデータ量の大きいジョブデータが複数登録された場合には、画像形成装置内の記憶装置では管理できない可能性がある。さらに、画像形成装置が、複数のホストコンピュータと接続されている場合には、各ホストコンピュータからのジョブデータを保管しなければならず、画像形成装置の記憶容量を大きくしなければならなかった。
また、画像形成装置内においてジョブデータを一括管理する場合には、例えば、画像形成装置の記憶装置が壊れてしまったとき、登録しておいたジョブ情報がすべて失われてしまう可能性があるといった問題があった。さらに、登録されているジョブデータの内容を変更させる必要が生じた場合には、保管されていた古いジョブデータを一度削除し、更にホストコンピュータから変更されたジョブデータを改めて保存させなければならないといった手間も生じていた。
【０００４】
そこで、このような問題を解消すべく、従来の画像形成システムにおいて、ホストコンピュータ側でジョブデータを保持し、このジョブデータの情報を管理する管理サーバを設け、この管理サーバにより実行するジョブの順序制御を行って画像形成装置の状態が印刷可能状態であると判断すると、ホストコンピュータからジョブデータを画像形成装置へ送信する指示を与える技術が提案されている（例えば、特許文献１参照。）。
【特許文献１】特開２００２−２０２８７３号公報（第４頁、第１図）
【発明の開示】
【発明が解決しようとする課題】
【０００５】
しかしながら、上述したような従来技術では、ホストコンピュータにジョブデータを保持させているため、画像形成装置の記憶装置におけるジョブデータの管理負担の問題は解消されるものの、ジョブ処理の実行指示は各ホストコンピュータで行なわなければならなかった。このため、頻繁に実行する可能性のあるジョブがある場合などには、そのジョブを実行させる度にホストコンピュータから画像形成装置へジョブデータを送信しなければならず、利用者にとって使い勝手が悪く、迅速に印刷処理を実行することができないといった問題があった。
また、画像形成装置とホストコンピュータの設置箇所が物理的に離れているようなときは、これら画像形成装置とホストコンピュータ間を利用者は行き来しなければならないといった問題もあった。
さらに、このように画像形成装置にジョブデータを保持させている場合には、画像形成装置の動作状態によってはジョブの登録，削除が自在に行なえないといった問題もあった。
【０００６】
本発明は、以上のような問題を解決するためになされたものであり、情報処理装置とネットワーク接続された画像形成装置を有する画像形成システムにおいて、ジョブデータを情報処理装置に保持させることにより画像形成装置の記憶装置への負担を軽減するとともに、画像形成装置による簡易かつ迅速なジョブ処理の実行を可能とし、また、画像形成装置の動作状態にかかわらず情報処理装置に保持されているジョブデータの登録，削除を可能とする画像形成装置、情報処理装置、画像処理装置の制御プログラム及び情報処理装置の制御プログラムの提供を目的とする。
【課題を解決するための手段】
【０００７】
上記目的を達成するため、本発明の画像形成装置は、ジョブデータを保持する一又は二以上の情報処理装置とネットワークを介して接続された画像形成装置であって、ジョブデータを特定するジョブ情報を情報処理装置から取得するジョブ情報取得手段と、取得されたジョブ情報を表示するジョブ情報表示手段とを備えた構成としてある。
【０００８】
画像形成装置をこのような構成にすれば、ジョブ情報取得手段は、例えば、利用者による所定操作等に応じて汎用パーソナルコンピュータ等の情報処理装置が保持するジョブデータを特定するジョブ情報を取得するので、この取得したジョブ情報を表示手段に表示させることができる。したがって、画像形成装置が複数の情報処理装置と接続されているような場合であって、利用者が、各情報処理装置により保持されているジョブデータのジョブ情報を閲覧したいときには、それぞれの情報処理装置を操作して各情報処理装置が保持するジョブデータのジョブ情報を閲覧しなくても、画像形成装置で所定操作の入力を行なうだけで、この画像形成装置において全ての情報処理装置が保持しているジョブ情報を閲覧することができる。
【０００９】
このため、画像形成装置による簡易かつ迅速なジョブ情報の閲覧ができ、例えば、このジョブ情報に基づいてジョブデータを収集すれば、この収集したジョブデータに基づくジョブ処理の実行も迅速に行なうことができる。
また、ジョブデータを情報処理装置に保持させたことにより画像形成装置の記憶装置への負担を軽減するとともに、画像形成装置の動作状態にかかわらず情報処理装置に保持されているジョブデータの登録，削除も可能となり、利便性を更に向上させることができる。
【００１０】
また、本発明の画像形成装置は、ジョブ情報表示手段は、ジョブ情報を選択指定可能に一覧表示する構成としてある。
【００１１】
画像形成装置をこのような構成にすれば、ジョブ情報表示手段には、利用者により閲覧するために表示されたジョブ情報が選択できるように表示されているため、利用者は表示されたジョブ情報を選択指定するだけで、ジョブデータの読み込み指示、又は印字実行指示等の更なる操作を容易に行なうことができる。
【００１２】
また、本発明の画像形成装置は、表示されたジョブ情報の中から指定されたジョブ情報を実行ジョブとして登録する実行ジョブ登録手段と、登録されたジョブに対応するジョブデータの送信を要求するデータ送信コマンドを情報処理装置に送信するコマンド送信手段と、データ送信コマンドに応じて送信されてきたジョブデータを受信するデータ受信手段と、受信したジョブデータに基づいて所定の処理を実行するジョブ実行手段とを備えた構成としてある。
【００１３】
画像形成装置をこのような構成にすれば、表示手段に表示されたジョブ情報を実行ジョブとして実行ジョブ登録手段により登録すれば、コマンド送信手段が、実行させるジョブデータを保持している情報処理装置を検索し、検索された情報処理装置へデータ送信コマンドを送信する。これによりデータ送信コマンドを受け取った情報処理装置が返信してきたジョブデータをデータ受信手段により受信することができるので、このジョブデータに基づく印字処理を実行させることができる。
【００１４】
また、本発明の情報処理装置は、上述したいずれかの画像形成装置と接続された情報処理装置であって、ジョブデータを保持するジョブデータ格納手段と、画像形成装置からの要求に応じてジョブデータ格納手段により保持されている一又は二以上のジョブデータを特定するジョブ情報を画像形成装置に送信するジョブ送信手段とを備えた構成としてある。
【００１５】
情報処理装置をこのような構成にすれば、情報処理装置は、設定登録等されたジョブデータをジョブデータ格納手段により保持しているため、ジョブ送信手段は、画像形成装置からの要求に応じてジョブデータ格納手段により保持されている一又は二以上のジョブデータを特定するジョブ情報を画像形成装置に送信することができる。
このため、情報処理装置における特別な操作を必要とすることなく、画像形成装置からの要求によってジョブ情報を画像形成装置へ提供することができ、利用者は、画像形成装置により簡易かつ迅速にジョブ情報を閲覧することができる。
【００１６】
また、本発明の情報処理装置は、ジョブ送信手段は、画像形成装置からのデータ送信コマンドに応じてジョブデータ格納手段により保持されているジョブデータの中から対応するジョブデータを抽出し、画像形成装置に送信する構成としてある。
【００１７】
情報処理装置をこのような構成にすれば、画像形成装置から受信したデータ送信コマンドによって指定されたジョブデータをジョブデータ格納手段から抽出して、ジョブ送信手段により画像形成装置に送信することができる。
このため、情報処理装置における特別な操作を必要とすることなく、画像形成装置からデータ送信コマンドを送信するだけで、利用者は画像形成装置においてジョブデータを取得することができ、画像形成装置により簡易かつ迅速にジョブデータに基づく各種処理を実行させることができる。
【００１８】
また、画像形成装置の制御プログラムは、ジョブデータを保持する一又は二以上の情報処理装置とネットワークを介して接続された画像形成装置の制御プログラムであって、情報処理装置からジョブ情報を取得するジョブ情報取得ステップと、ジョブ情報取得ステップで取得されたジョブ情報を表示させるジョブ情報表示ステップとを画像形成装置に実行させる制御プログラムとしてある。
【００１９】
画像形成装置の制御プログラムをこのようなプログラムにすれば、例えば、制御プログラムを記憶させた記録媒体をコンピュータを搭載した画像形成装置に直接装着して当該コンピュータに読み込ませることにより、ジョブ情報取得ステップで、例えば、利用者による所定操作等に応じて汎用パーソナルコンピュータ等の情報処理装置が保持するジョブデータを特定するジョブ情報を取得するので、この取得したジョブ情報を表示手段に表示させることができる。
したがって、画像形成装置が複数の情報処理装置と接続されているような場合であって、利用者が、各情報処理装置により保持されているジョブデータのジョブ情報を閲覧したいときには、それぞれの情報処理装置を操作して各情報処理装置が保持するジョブデータのジョブ情報を閲覧しなくても、画像形成装置で所定操作の入力を行なうだけで、この画像形成装置において全ての情報処理装置が保持しているジョブ情報を閲覧することができる。
【００２０】
このため、画像形成装置による簡易かつ迅速なジョブ情報の閲覧ができ、例えば、このジョブ情報に基づいてジョブデータを収集すれば、この収集したジョブデータに基づくジョブ処理の実行も迅速に行なうことができる。
また、ジョブデータを情報処理装置に保持させたことにより画像形成装置の記憶装置への負担を軽減するとともに、画像形成装置の動作状態にかかわらず情報処理装置に保持されているジョブデータの登録，削除も可能となり、利便性を更に向上させることができる。
【００２１】
また、情報処理装置の制御プログラムは、ジョブデータに基づく処理を実行する画像形成装置とネットワークを介して接続された情報処理装置の制御プログラムであって、入力設定されたジョブデータを保持するジョブデータ格納ステップと、画像形成装置からの要求に応じてジョブデータ格納ステップで保持されたジョブデータの中から対応するジョブ情報を抽出し、画像形成装置に送信するジョブ情報送信ステップとを情報処理装置に実行させる制御プログラムとしてある。
【００２２】
情報処理装置の制御プログラムをこのようなプログラムにすれば、例えば、制御プログラムを記憶させた記録媒体をコンピュータを搭載した情報処理装置に直接装着して当該コンピュータに読み込ませることにより、情報処理装置は、設定登録等されたジョブデータをジョブデータ格納ステップにより保持しているため、ジョブ送信ステップでは、画像形成装置からの要求に応じてジョブデータ格納ステップで保持した一又は二以上のジョブデータを特定するジョブ情報を画像形成装置に送信することができる。
このため、情報処理装置における特別な操作を必要とすることなく、画像形成装置からの要求によってジョブ情報を画像形成装置へ提供することができ、利用者は、画像形成装置により簡易かつ迅速にジョブ情報を閲覧することができる。
【発明の効果】
【００２３】
本発明によれば、ジョブデータを特定するジョブ情報を情報処理装置から取得するジョブ情報取得手段と、取得されたジョブ情報を表示するジョブ情報表示手段とを備えたので、画像形成装置において情報処理装置が保持しているジョブ情報を簡易かつ迅速に閲覧することができる。
また、ジョブデータを情報処理装置に保持させたことにより画像形成装置の記憶装置への負担を軽減するとともに、画像形成装置の動作状態にかかわらず情報処理装置に保持されているジョブデータの登録，削除が可能となり、利便性を更に向上させることができる。
【発明を実施するための最良の形態】
【００２４】
以下、本発明の実施形態について図面を参照して説明する。
本発明の実施形態に係る画像形成装置について、図１を参照して説明する。
図１は、本発明の実施形態に係る画像形成装置が複数の情報処理装置と接続された状態を示すシステム構成図である。
ただし、図１に示す画像形成装置は具体例としてネットワークプリンタの構成を示しているものの、本実施形態の画像形成装置はネットワークプリンタに限るものではなく、情報処理装置との間でデータ交換可能にネットワーク接続されたコピー機，ファクシミリ，スキャナ，デジタル複合装置（マルチファンクションペリフェラル（ＭＦＰ））等を含む。
【００２５】
さらに、本実施形態の画像形成装置がプリンタである場合、このプリンタには、インクジェットプリンタ，昇華型熱転写方式プリンタ，ドットインパクトプリンタ，レーザプリンタ，溶融型熱転写方式プリンタなど、各種のプリント方式を備えたプリンタが含まれることは言うまでもない。
【００２６】
図１に示すように、プリンタ装置１０は、ネットワーク２０を介して汎用のパーソナルコンピュータ等からなるホストコンピュータ（情報処理装置）３０（ホストＰＣ３０ａ，３０ｂ，・・・，３０ｎ）とデータ交換可能に接続されている。また、このプリンタ装置１０は、入力手段１１と、表示手段（ジョブ情報表示手段）１２と、ネットワークインターフェイス（コマンド送信手段，データ受信手段）１３と、制御手段１４と、記憶手段１５と、エンジン部１６とを有している。
【００２７】
入力手段１１は、プリンタ装置１０で行われる印刷処理等の各種設定を行なう。また、入力手段１１は、表示手段１２に対し、ホストコンピュータ３０で保持されているジョブデータを特定するジョブ名称等のジョブ情報の表示要求を送る。さらに、入力手段１１は、表示手段１２により表示されているジョブ情報から選択的に実行させるジョブの指定を行なう。
この入力手段１１には、ジョブ情報閲覧ボタン（図示せず）が設けられている。このジョブ情報閲覧ボタンが押下されると、制御手段１４のジョブ情報取得部１４−３へジョブ情報の表示要求が送られ、ジョブ情報の取得が開始される。
なお、ジョブ情報閲覧ボタンは、タッチパネル方式の表示手段１２の表示面内に表示させることもでき、また、物理的な押しボタンとして表示手段１２の近傍等に設けることもできる。
【００２８】
表示手段（ジョブ情報表示手段）１２は、例えば、ブラウン管表示装置，液晶表示装置などにより構成されており、表示制御部１４−２から送られてきた情報データを画面表示する。また、近年の表示手段１２は、タッチパネル方式を用いている場合が多く、このタッチパネル方式による表示手段１２は、入力手段１１の機能をも兼ね備えている。
【００２９】
画面に表示されるデータの具体例としては、図２に示すように、例えば、ジョブ情報の表示要求に応じて後述するジョブ情報取得手段１４−３により取得されたジョブ情報を選択指定可能に表示したものがある。
図２において、ジョブ情報としてのジョブ名称（Ｄａｔａ  Ｎａｍｅ）と、これに対応付けてデータ容量（Ｄａｔａ  Ｓｉｚｅ）が表示されている。なお、この表示例においては、ジョブの設定された順序で１〜５のジョブ情報を表示しているが、これに限られるものではなく、複数あるジョブ情報のうちいずれかのジョブ情報を指定可能に表示されていれば、どのような順序であっても良い。
【００３０】
また、図２の表示例においては、複数あるジョブ情報のうちいずれかのジョブ情報を反転表示させることにより特定のジョブ情報を選択指定している。すなわち、表示画面の右端に表示されている上下方向の矢印からなるジョブ選択ボタン１２−１のいずれかをプッシュすることにより、反転されるジョブ情報を切り換えて選択している。なお、図２では、ＪＯＢ名３．ｄｏｃ（ジョブ情報）が選択指定された状態を示している。
また、図２に示す表示画面の下部には「受信」ボタン，「印刷」ボタンが表示されており、ジョブ情報のいずれかが選択されている状態において、これらのボタンがプッシュされると、それぞれ対応する処理要求が制御手段１４に対して出力される。
【００３１】
ネットワークインターフェイス（コマンド送信手段，データ受信手段）１３は、ネットワーク２０を介して複数のホストコンピュータ３０との間でデータを送受信するインターフェイスである。
例えば、ネットワークインターフェイス１３は、入力手段１１の図示しないジョブ情報閲覧ボタンが押下されてジョブ情報の表示要求が制御手段１４に入力されると、これに応じた制御手段１４からの制御を受けて一又は二以上のホストコンピュータ３０へジョブ情報要求コマンドを出力する。このジョブ情報要求コマンドを出力する際には、記憶手段１５から取り出されたホストＰＣ特定情報（ホストコンピュータ３０を特定できる情報、例えば、ＩＰアドレスなど）が制御手段１４を介して送られてくる。ネットワークインターフェイス１３は、そのホストＰＣ特定情報の示すホストコンピュータ３０に対してジョブ情報要求コマンドを送信する。
また、ネットワークインターフェイス１３は、そのジョブ情報要求コマンドに応じて各ホストコンピュータから送信されてきたジョブ情報を受信し、これを制御手段１４へ入力する。
【００３２】
また、ネットワークインターフェイス１３は、後述する実行ジョブ登録部１４−４により登録されたジョブのデータ取得を要求するデータ送信コマンドをホストコンピュータ３０に送信するとともに、これに応じてホストコンピュータ３０から送信されてきたジョブデータを受信し、制御手段１４へ入力する。
なお、データ送信コマンドを送信するホストコンピュータ３０は、複数あるホストコンピュータ３０の全てであっても良いが、ジョブ情報を取得する時点で、このジョブ情報にホストコンピュータ３０の識別情報を関連付けて記憶手段１５に記憶させておけば、ネットワークインターフェイス１３がデータ送信コマンドを送信するときに、記憶手段１５のジョブ情報に対応するホストコンピュータ識別情報を参照することによりジョブ情報を保持しているホストコンピュータ３０に対してのみデータ送信コマンドを送信することができる。
【００３３】
さらに、ネットワークインターフェイス１３は、ジョブ情報要求コマンド送信などに応じてホストコンピュータ３０からパスワードが送られてきた場合には、このパスワードを受信するとともに、これに応じて入力手段１１により入力されたパスワードをパスワード要求してきたホストコンピュータ３０へ返信する。
【００３４】
制御手段１４は、プリンタ装置１０の機能を統括制御する装置であり、ＣＰＵやメモリ等により構成され、入力制御部１４−１と、表示制御部１４−２と、ジョブ情報取得部１４−３と、実行ジョブ登録部１４−４と、ジョブ実行部１４−５と、エンジン制御部１４−６とを有している。
入力制御部１４−１は、入力手段１１で設定登録された入力データを受け取る。これにより、制御手段１４は、その設定内容に基づいて、プリンタ装置１０の各種機能を制御する。また、入力制御部１４−１は、入力手段１１からジョブ情報の表示要求を受けると、これを表示制御手段１４−２へ送る。さらに、入力制御部１４−１は、入力手段１１から実行ジョブが指定されると、この指定されたジョブ情報を実行ジョブ登録部１４−４へ送る。
表示制御部１４−２は、入力手段１１からの操作に応じて、表示手段１２へ表示させる情報データを収集し、表示手段１２へ送って表示させる。
【００３５】
ジョブ情報取得部（ジョブ情報取得手段）１４−３は、入力手段１１のジョブ情報閲覧ボタンが押下されたことによりジョブ情報の表示要求を受けると、記憶手段１５からホストＰＣ特定情報を取り出し、ネットワークインターフェイス１３を制御して、そのホストＰＣ特定情報の示すホストコンピュータ３０へジョブ情報要求コマンドを送信させる。そして、ホストコンピュータ３０から折り返して送信されてきたジョブ情報をネットワークインターフェイス１３を介して取得する。すなわち、ジョブ情報取得部１４−３は、ジョブ情報閲覧ボタンが押下されると、記憶手段１５から取り出した各ホストコンピュータ３０のホストＰＣ特定情報（例えば、ＩＰアドレス）にアクセスして、ジョブ情報を取得していく。
【００３６】
なお、記憶手段１５が記憶するホストＰＣ特定情報や、ジョブ情報取得部１４−３が記憶手段１５から取り出すホストＰＣ特定情報は、ネットワーク２０に接続されたホストコンピュータ３０のすべてについてのものとする。ただし、それらホストＰＣ特定情報は、ネットワーク２０に接続されたホストコンピュータ３０の一部についてのものとすることもできる（例えば、ネットワーク２０に５台のホストコンピュータ３０が接続されていた場合、記憶手段１５には１台又は２台以上のホストコンピュータ３０についてのホストＰＣ特定情報を記憶させることができる）。
【００３７】
実行ジョブ登録部（実行ジョブ登録手段）１４−４は、表示手段１２に選択可能に一覧表示されたジョブ情報から指定されたジョブ情報を登録し、この登録したジョブ情報により特定されるジョブデータを取得すべく、ネットワークインターフェイス１３を制御し、データ送信コマンドをホストコンピュータ３０へ送信させる。
【００３８】
ジョブ実行部（ジョブ実行手段）１４−５は、ネットワークインターフェイス１３を介して各ホストコンピュータ３０から受信したジョブデータに基づいて所定の処理を実行する。所定の処理はジョブの内容によって異なるが、印刷ジョブである場合には、画像データに基づいてラスタライズ等の画像処理を実行する。
エンジン制御部１４−６は、ジョブ実行部１４−５により画像処理された出力画像データをエンジン部１６へ出力するとともに、エンジン部１６の有する感光ドラム等の各構成要素を制御し、印字処理を実行させている。
【００３９】
記憶手段１５は、ＨＤＤ（ハードディスクドライブ）等により構成され、ホストコンピュータ３０から送信された画像データをはじめ、取得したジョブ情報、ジョブデータ等を記憶保持する。また、ジョブ情報を記憶する場合には、このジョブ情報に特定されるジョブデータを保持しているホストコンピュータ３０の識別情報を関連付けて記憶させることもできる。
さらに、この記憶手段１５は、各ホストコンピュータ３０ごとに、ホストＰＣ特定情報（例えば、ＩＰアドレスなど）を記憶する。
エンジン部１６は、エンジン制御部１４−６の制御を受けて、出力画像データに基づく印字処理、及びその印字された用紙の排紙処理等の動作処理を行う。
【００４０】
ネットワーク２０は、公衆回線網，インターネット網などからなり、プリンタ装置１０とホストコンピュータ３０との間で情報データを送受信させている。
ホストコンピュータ（情報処理装置、ホストＰＣ）３０は、ネットワーク２０を介してプリンタ装置１０と接続された汎用のパーソナルコンピュータからなり、ジョブデータ格納手段３１と、ジョブ送信手段３２とを有している。
ジョブデータ格納手段３１は、ＨＤＤ等の記憶装置等からなり、ホストコンピュータ３０に搭載されたアプリケーションによって設定された各種のジョブデータを記憶保持する。
ジョブ送信手段３２は、プリンタ装置１０からのジョブ情報要求コマンドに応じてジョブデータ格納手段３１により保持されている一又は二以上のジョブデータを特定するジョブ情報をプリンタ装置１０に送信する。また、ジョブ送信手段３２は、プリンタ装置１０からのデータ送信コマンドに応じて、コマンドにより指定されたジョブに対応するジョブデータをジョブデータ格納手段３１から抽出し、これをプリンタ装置１０へ送信する。
【００４１】
次に、本実施形態に係る画像形成システムの動作について、図３を参照して説明する。
図３は、本実施形態に係る画像形成システムにおけるプリンタ装置とホストコンピュータとの動作処理を示したラダー図である。
なお、ホストコンピュータ３０は、前処理として、ホストコンピュータの有する入力手段により入力された情報に基づいて設定されたジョブデータをジョブデータ格納手段３１に保持させている（ジョブデータ格納ステップ）。
【００４２】
はじめに、プリンタ装置１０は、入力手段１１に設けられたジョブ情報閲覧ボタンが押下されたことをジョブ情報取得部１４−３が読み取ると（ステップＳ３０１）、記憶手段１５から取り出されたホストＰＣ特定情報の示すホストコンピュータ３０へ、ジョブ情報要求コマンドを、ネットワークインターフェイス１３を介して送信させる（ステップＳ３０２）。
ホストコンピュータ３０は、ジョブ情報要求コマンドを受信すると、この要求のあったプリンタ装置１０がアクセス許可の対象とされている装置であるか否かを判断するために、パスワードの送信を要求するパスワード要求コマンドを返信する（ステップＳ３０３）。
【００４３】
プリンタ装置１０は、ホストコンピュータ３０からのパスワード要求コマンドを受信すると、表示制御部１４−２の制御により表示手段１２にパスワード入力画面を表示させる。そして、このパスワード入力画面にしたがって入力されたパスワードを読み取ると（ステップＳ３０４）、制御手段１４はネットワークインターフェイス１３を介してホストコンピュータ３０へパスワードを送信する（ステップＳ３０５）。
ホストコンピュータ３０は、プリンタ装置１０から送信されてきたパスワードを読み取ると、このパスワードを予め保持していた照合用パスワードと比較し（ステップＳ３０６）、照合が一致した場合にのみステップＳ３０２で要求のあったジョブ情報をプリンタ装置１０へ送信する（ステップＳ３０７（ジョブ情報送信ステップ））。
なお、ステップＳ３０６の照合が一致しなかった場合には、ホストコンピュータ３０は照合不能通知をプリンタ装置１０へ送信し、プリンタ装置１０の表示手段１２にパスワード入力画面を再表示させる。
【００４４】
プリンタ装置１０は、ステップＳ３０７で送信されたジョブ情報をネットワークインターフェイス１３を介してジョブ情報取得部１４−３により取得すると（ジョブ情報取得ステップ）、この取得したジョブ情報を表示制御部１４−２の制御によって表示手段１２に選択指定可能に一覧表示させる（ステップＳ３０８（ジョブ情報表示ステップ））。
ステップＳ３０８による表示に応じて入力手段１１によってジョブ情報が選択的に指定され、「受信」又は「印刷」ボタンの押下を認識すると（ステップＳ３０９）、プリンタ装置１０の実行ジョブ登録部１４−４は、指定されたジョブ情報を実行ジョブとして登録するとともに、ネットワークインターフェイス１３を制御し、データ送信コマンドをホストコンピュータ３０へ送信させる（ステップＳ３１０）。
【００４５】
ホストコンピュータ３０は、データ送信コマンドを受信すると、これに応じたジョブデータをジョブデータ格納手段３１から抽出し（ステップＳ３１１）、抽出したジョブデータをプリンタ装置１０へ送信する（ステップＳ３１２）。
プリンタ装置１０は、ネットワークインターフェイス１３を介してジョブデータを受信すると、ジョブ実行部１４−５が、この受信したジョブデータを読み取って所定の処理を実行する（ステップＳ３１３）。
【００４６】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
例えば、上記実施形態で説明した表示手段１２において、ジョブ情報の一覧表示には、ジョブ名称とデータサイズを表示させていたが、これに限るものではなく、ジョブ情報を保持しているホストコンピュータ３０の識別情報を表示させることもできる。これにより、特定のホストコンピュータで設定されたジョブのみを実行させたい場合には、対応するジョブ情報を選択指定することが可能となる。
【００４７】
また、上記実施形態に係る画像形成装置は、制御プログラムに制御される画像形成装置により実行することができる。画像形成装置の制御プログラムは、例えば、記録媒体により提供される。記録媒体としては、例えば、磁気ディスク、光ディスク、半導体メモリ、その他画像形成装置で読み取り可能な任意の手段を使用することができる。
また、記録媒体に記録された画像形成装置の制御プログラムは、記録媒体を直接画像形成装置に装着して当該画像形成装置に読み込ませることができ、また、通信回線を介して画像形成装置に読み込ませるようにしても良い。
さらに、上記実施形態に係る情報処理装置においても、画像形成装置と同様に、制御プログラムに制御される情報処理装置により実行することができる。
【産業上の利用可能性】
【００４８】
ネットワークを介して複数のホストコンピュータと接続された画像形成装置において、画像形成装置側からの操作によって印刷ジョブを実行させる場合に好適に利用することができる。
【図面の簡単な説明】
【００４９】
【図１】本発明の実施形態に係る画像形成システムの全体構成図である。
【図２】本発明の実施形態に係る画像形成装置の表示画面例を示したものである。
【図３】本発明の実施形態に係る画像形成システムの動作処理を示したラダー図である。
【符号の説明】
【００５０】
１０  プリンタ装置（画像形成装置）
１１  入力手段
１２  表示手段
１２−１  ジョブ選択ボタン
１３  ネットワークインターフェイス（コマンド送信手段，データ受信手段）
１４  制御手段
１４−１  入力制御部
１４−２  表示制御部
１４−３  ジョブ情報取得部（ジョブ情報取得手段）
１４−４  実行ジョブ登録部（実行ジョブ登録手段）
１４−５  ジョブ実行部（ジョブ実行手段）
１４−６  エンジン制御部
１５  記憶手段
１６  エンジン部
２０  ネットワーク
３０  ホストコンピュータ（情報処理装置）
３１  ジョブデータ格納手段
３２  ジョブ送信手段
【図１】
2005319646.tif 000003
【図２】
2005319646.tif 000004
【図３】
2005319646.tif 000005